(57)【特許請求の範囲】
【請求項１】
手押しフレームと、展開状態と折畳み状態との間に回動できるように前記手押しフレームに枢接されている脚フレームと、前記枢接になった場所の近くに前記展開状態を解除可能にロックすることができるように配置構成されているロック手段とを備えたベビーカーの手押しフレームに装着されて、片手操作で前記ロック手段による展開状態時のロックを解除することができるロック解除操作装置において、
その周縁に窪んだ切欠きと突出している操作レバーを有している上、前記操作レバーの回動操作により前記切欠きが前記手押しフレームの延伸方向に偏った所定方向に向う常時位置と該常時位置から外れた非常位置との間に変換することができるように構成されている回転プレートと、
その一端が前記回転プレートに、他端が前記ロック手段に接続していて、該回転プレートの前記非常位置への回転により前記ロック手段を引っ張ってそのロック作用を解除することができるワイヤと、
前記手押しフレームの延伸方向に沿って往動させられる、且つ自動復動できるように配置されている上、その一端が前記往動を操作するための押動ボタンを有しており、他端が前記回転プレートが前記常時位置にある場合、前記復動により前記所定方向から前記切欠きに係合して前記回転プレートを回転不能にさせたり、前記押動ボタンが操作されて前記往動をすると前記切欠きから前記所定方向へ退出し前記回転プレートを回転可能にさせたりする係合レバーが構成されている手操作手段とからなっているロック解除操作装置。
【請求項２】
２部分からなっており、且つ該２部分の組合わせ関係によりその間に２つの相対する第１通孔と第２通孔とがある収容空間を構成する上、前記手押しフレームを挟んでいるケーシングを備えており、
該ケーシングは、前記収容空間と前記手押しフレームに形成された補助収容空間とで、前記回転プレート、前記ワイヤ及び前記手操作手段を、前記押動ボタンと前記操作レバーがそれぞれ前記第1通孔及び前記第２通孔から突出するように収容しており、
また、前記係合レバーは、前記切欠きを引っ掛けることができるフック状となり、前記手操作手段全体は、前記ケーシングの内壁に設けられた付勢手段によって前記自動復動が可能になっていることを特徴とする請求項１に記載のロック解除操作装置。
【請求項３】
その手押しフレームに請求項１に記載のロック解除操作装置が装着されているベビーカー。
【請求項４】
その手押しフレームに請求項２に記載のロック解除操作装置が装着されているベビーカーであって、
前記手押しフレームは、前記ケーシングの第１通孔及び第２通孔とそれぞれ対応する第３通孔及び第４通孔とを有する管状のものであって、前記補助収容空間をその中に形成する上、該補助収容空間を前記第３通孔及び第４通孔とを経由して前記収容空間と連通させているベビーカー。
【請求項５】
前記手押しフレームは、水平部分と該水平部分の両端から下方へ曲がって縦になっている２本の対称部分とを有する略Ｕ字状に成形されており、
前記ロック解除操作装置は、前記水平部分のほぼ中央部に装着されており、
また、その脚フレームは、それぞれ前記２本の対称部分に枢接されている左右２本の骨組みを有することを特徴とする請求項４に記載のベビーカー。
【発明の詳細な説明】
【技術分野】
【０００１】
本発明は、片手で操作できるロック解除操作装置及び該ロック解除操作装置が装着されているベビーカーに関する。
【背景技術】
【０００２】
一般に用いられているベビーカーは、使用者にとっての収納や持ち運びに対する容易性が図られるために、ほとんど乳幼児を乗せる展開状態から収納、持ち運びに適切な折畳み状態に折畳むことができるようになっている。更に、このようにベビーカーが使用される時は、使用者が乳幼児や乳幼児介護用ものを抱いたり持ったりしながら、展開状態を維持するためのロック手段によるロックを解除してから、展開状態から折畳み状態にする必要がある場合が免れないので、片手で前記ロック解除操作を行えるロック解除操作装置が備わったものも開発され、市販されている（特許文献１）。
【０００３】
図８は、この種のロック解除操作装置が装着されたベビーカーを示しており、該ベビーカーは、主として、手押しフレーム９０と、脚フレーム９１と、座席部９２と、前後車輪９３、９４と、ロック手段９５と、ロック解除操作装置９６とを備えている。
【０００４】
このうち、手押しフレーム９０は、パイプから、水平部分９００と該水平部分９００の両端から下方へ曲がって縦になっている２本の対称部分９０１、９０１とを有するように折り曲げられている略Ｕ字状のものである。
【０００５】
脚フレーム９１は、左右２本の骨組み９１０、９１０からなっており、また、各骨組み９１０、９１０は、それぞれ前車輪９３と後車輪９４に連結された前脚と後脚を有する。
【０００６】
これらの骨組み９１０、９１０により、脚フレーム９１は、前脚と後脚が相互に離反になった展開状態と前脚と後脚が相互に近接になった折畳み状態との間で回動できるように手押しフレーム９０における対称部分９０１、９０１に枢接されている上、前記対称部分９０１、９０１と共に座席部９２を保持している。
【０００７】
ロック手段９５は、脚フレーム９１と手押しフレーム９０との枢接になったところの近くに展開状態を解除可能にロックすることができるように配置構成されている。ここで、ロック手段９５は、左右二つあり、いずれも、手押しフレーム９０における対称部分９０１、９０１の下端と脚フレーム９１における骨組み９１０、９１０とにそれぞれ設けられた凹凸部の係合によりそのロックが行われる。
【０００８】
ロック解除操作装置９６は、手押しフレーム９０における水平部分９００のほぼ中央部に装着されている上、片手操作でロック手段９５によるロックを解除にすることができるように構成されているものである。
【０００９】
そして、図９〜図１０ａ、ｂに示すように、ロック解除操作装置９６は、回転プレート９６０と、ワイヤ９６１と、手操作手段９６２とからなっている。
【００１０】
回転プレート９６０は、その周縁近くに凸縁９７０と操作レバー９７１とが設置されている上、操作レバー９７１の回動操作により凸縁９７０が手押しフレーム９０の垂直方向に偏った所定方向へ突出するようになっている常時位置（図１０ａ参照）と該常時位置から外れた非常位置（図１０ｂ参照）との間に変換することができるように構成されている。
【００１１】
ワイヤ９６１は、前記左右二つのロック手段９５に対応して２本あり、それぞれその一端が回転プレート９６０に、他端がロック手段９５に接続していて、該回転プレート９６０の非常位置への回転によりロック手段９５を引っ張ってその係合によるロック作用を解除することができる。
【００１２】
手操作手段９６２は、手押しフレーム９０の水平部分９００に、押圧されると自動回復可能に設置されている上、その回転プレート９６０に対向する面にブロック９８０が突出しており、回転プレート９６０が常時位置にある場合、図９に示すようにブロック９８０が凸縁９７０を阻んで回転プレート９６０を回転不能にさせ、図１０ａに示すように上から下へ押圧されると、図１０ｂに示すようにブロック９８０が凸縁９７０を阻まずに回転プレート９６０を回転可能にさせるように構成されている。
【００１３】
しかしながら、ロック解除操作装置９６を片手で操作する場合、親指によって手操作手段９６２を上から下へ押圧しながら、残りの指によって操作レバー９７１を回転させ、即ち、その一方（親指）をその位置に動かずに維持したままで他方（残りの指）を親指を中心として大きく回さなければならないので、違和感がある上、操作もかなり難しい。
【特許文献１】米国特許第５７６９４４７号明細書
【発明の開示】
【発明が解決しようとする課題】
【００１４】
前記欠点に鑑みて、本発明は、片手で円滑に操作し易いロック解除操作装置及び該ロック解除操作装置が装着されているベビーカーを提供することを目的とする。
【課題を解決するための手段】
【００１５】
前記目的を達成するために、本発明は、手押しフレームと、展開状態と折畳み状態との間に回動できるように前記手押しフレームに枢接されている脚フレームと、前記枢接になったところの近くに前記展開状態を解除可能にロックすることができるように配置構成されているロック手段とを備えたベビーカーの手押しフレームに装着されて、片手操作で前記ロック手段による展開状態時のロックを解除することができるロック解除操作装置において、その周縁に窪んだ切欠きと突出している操作レバーを有している上、前記操作レバーの回動操作により前記切欠きが前記手押しフレームの延伸方向に偏った所定方向に向う常時位置と該常時位置から外れた非常位置との間に変換することができるように構成されている回転プレートと、その一端が前記回転プレートに、他端が前記ロック手段に接続していて、該回転プレートの前記非常位置への回転により前記ロック手段を引っ張ってそのロック作用を解除することができるワイヤと、前記手押しフレームの延伸方向に沿って往動させられると自動復動できるように配置されている上、その一端が前記往動を操作するための押動ボタンを有しており、他端が前記回転プレートが前記常時位置にある場合、前記復動により前記所定方向から前記切欠きに係合して前記回転プレートを回転不能にさせたり、前記押動ボタンが操作されて前記往動をすると前記切欠きから前記所定方向へ退出し前記回転プレートを回転可能にさせたりする係合レバーが構成されている手操作手段とからなっているロック解除操作装置を提供する。
【００１６】
なお、その手押しフレームに前記ロック解除操作装置が装着されているベビーカーをも提供する。
【発明の効果】
【００１７】
前記構造によるロック解除操作装置を片手で操作する場合、手首を前へ少々捻りながら、親指によって押動ボタンを往動方向に押動すると同時に、残りの指によって操作レバーを反対の復動方向へ回転させるため、操作が容易で、とても円滑である。
【発明を実施するための最良の形態】
【００１８】
以下に添付図面を参照しながら、本発明の好適な実施形態の例について詳細に説明する。
【００１９】
図１は、本発明の実施形態に係るベビーカーの展開状態の斜視図である。図２は、図１のベビーカーの側面図である。図３は、図１のベビーカーの折畳み状態時の側面図である。図４は、図１のベビーカーにおけるロック手段の構成を示す断面図である。図５は、図１のベビーカーにおけるロック解除操作装置と手押しフレームとの装着関係を示す分解斜視図である。
【００２０】
図１に示すように、該ベビーカーは、一般的に、手押しフレーム１と、脚フレーム２と、ロック手段３と、ロック解除操作装置４とを備えている。
【００２１】
詳細には、手押しフレーム１は、図１と図５に示すように、その中に下記の補助収容空間１２とされる空間が形成された管状のものであって、上下に長孔１０１、１０２（請求項において第３通孔及び第４通孔と称する）がある水平部分１０と該水平部分１０の両端から下方へ曲がって縦になっている２本の対称部分１１、１１とを有する略Ｕ字状に成形されている。
【００２２】
脚フレーム２は、それぞれ２本の対称部分１１、１１に枢接されている左右２本の骨組み２１、２１を有しており、展開状態（図２参照）と折畳み状態（図３参照）との間で回動できるように手押しフレーム１に枢接されている。
【００２３】
ロック手段３は、左右二つあり、それぞれ、脚フレーム９１における左右２本の骨組み２１、２１と手押しフレーム９０における２本の対称部分１１、１１との枢接になったところの近くに、展開状態と折畳み状態を解除可能にロックすることができるように配置構成されている。
【００２４】
即ち、ロック手段３は、図４に示すように、脚フレーム９１における骨組み２１に設けられた係合ブロック３０と、手押しフレーム９０における対称部分１１に係合ブロック３０と係合可能に装着されている係合部材３１とからなっている。係合ブロック３０は、両端に凹部３０１、３０２が形成されたガイド溝３００が開けてあり、係合部材３１は、脚フレーム９１における骨組み２１の方へ付勢されていて、一端３１１が凹部３０１、３０２に至ると係合するようにガイド溝３００に摺動可能に取付けられている。
【００２５】
図６は、手押しフレームに装着されているロック解除操作装置のロック状態を示す断面図である。図７（ａ）と（ｂ）は、前記ロック解除操作装置のロック解除動作を順に示す図である。
【００２６】
ロック解除操作装置４は、図５と図６に示すように、ケーシング４０と、回転プレート４１と、２本のワイヤ４２、４２と、手操作手段４３とからなっており、手押しフレーム１における水平部分１０のほぼ中央部に装着されていて、片手操作でロック手段３による展開状態時のロックを解除することができる。
【００２７】
ケーシング４０は、２部分からなっており、且つ該２部分の組合わせ関係によりその間に２つの相対する第１通孔４０１と第２通孔４０２とを有する収容空間４０３を構成する上、手押しフレーム１における水平部分１０を挟んでいる。第１通孔４０１と第２通孔４０２は、手押しフレーム１の長孔１０１、１０２とそれぞれ対応するようになっているので、補助収容空間１２を長孔１０１、１０２を経由して収容空間４０３と連通させている。
【００２８】
回転プレート４１は、その周縁に窪んだ切欠き４１１と突出している操作レバー４１２を有している上、操作レバー４１２の回動操作により切欠き４１１が手押しフレーム１における水平部分１０の延伸方向に偏った所定方向に向う常時位置（図７ａ）と該常時位置から外れた非常位置（図７ｂ）との間に変換することができるように構成されている。
【００２９】
２本のワイヤ４２、４２は、それぞれその一端が回転プレート４１に、他端がロック手段３における係合部材３１の一端３１１の反対端３１２に接続していて、該回転プレート４１の非常位置への回転により一端３１１が凹部３０１または凹部３０２から離脱するようにロック手段３の反対端３１２を引っ張ってそのロック作用を解除することができる。
【００３０】
手操作手段４３は、ケーシング４０の内壁４０５に設けられた付勢手段４０４によって手押しフレーム１の延伸方向に沿って往動させられる、且つ自動復動できるように配置されている上、その一端が往動を操作するための押動ボタン４３１を有しており、他端が回転プレート４１が常時位置にある場合、復動により前記所定方向から切欠き４１１に係合して回転プレート４１を回転不能にさせたり、押動ボタン４３１が操作されて往動をすると切欠き４１１から前記所定方向へ退出し回転プレート４１を回転可能にさせたりする係合レバー４３２が構成されている。該係合レバー４３２は、切欠き４１１を引っ掛けることができるフック状となっている。
【００３１】
また、図６に示すように、ケーシング４０は、収容空間４０３と手押しフレーム１に形成された補助収容空間１２とで、回転プレート４１、ワイヤ４２及び手操作手段４３を、押動ボタン４３１と操作レバー４１２がそれぞれ長孔１０１、１０２を経由して第1通孔４０１及び第２通孔４０２から突出するように収容している。
【００３２】
前記構造によるロック解除操作装置４を片手で操作する場合、図７ａに示すように手首を前へ少々捻りながら、親指によって押動ボタン４３１を往動方向に押動すると同時に、図７ｂに示すように残りの指によって操作レバー４１２を反対の復動方向へ回転させればよいため、操作が容易で、とても円滑になる。
【００３３】
なお、このうち、ロック解除操作装置４が主としてこのベビーカーを特徴づけているが、該ベビーカーは、おおよそ前記のような手押しフレームと、脚フレームと、ロック手段とを有する構成であれば、他に座席部、車輪などを含んだ全体構成は必ずしも限定されるものではない。
【００３４】
以上、本発明の好適な実施形態について説明したが、本発明は該実施形態に限定されない。即ち、本発明は前記実施形態例に限定して狭義に解釈されるものではなく、本発明の思想の範囲内において種々の変形や変更が可能である。
【産業上の利用可能性】
【００３５】
以上、実施形態で詳細に説明したように、本発明の解除操作装置によっては、ベビーカーのロックを片手で円滑且つ簡単に解除することができる。
【図面の簡単な説明】
【００３６】
【図１】本発明の実施形態に係るベビーカーの展開状態の斜視図である。
【図２】図１のベビーカーの側面図である。
【図３】図１のベビーカーの折畳み状態時の側面図である。
【図４】図１のベビーカーにおけるロック手段の構成を示す断面図である。
【図５】図１のベビーカーにおけるロック解除操作装置と手押しフレームとの装着関係を示す分解斜視図である。
【図６】手押しフレームに装着されているロック解除操作装置のロック状態を示す断面図である。
【図７ａ】前記ロック解除操作装置のロック解除動作を順に示す図である。
【図７ｂ】前記ロック解除操作装置のロック解除動作を順に示す図である。
【図８】従来のベビーカーの展開状態の斜視図である。
【図９】該従来のベビーカーにおけるロック解除操作装置のロック状態を示す断面図である。
【図１０ａ】前記ロック解除操作装置のロック解除動作を順に示す図である。
【図１０ｂ】前記ロック解除操作装置のロック解除動作を順に示す図である。
【符号の説明】
【００３７】
１    手押しフレーム
１０    水平部分
１１    対称部分
１０１、１０２    長孔
１２    補助収容空間
２    脚フレーム
２１    骨組み
３    ロック手段
３０    係合ブロック
３００    ガイド溝
３０１、３０２    凹部
３１    係合部材
３１１    （係合部材の）一端
３１２    （係合部材の）反対端
４    ロック解除操作装置
４０    ケーシング
４０１    第１通孔
４０２    第２通孔
４０３    収容空間
４０４    付勢手段
４０５    内壁
４１    回転プレート
４１１    切欠き
４１２    操作レバー
４２    ワイヤ
４３    手操作手段
４３１    押動ボタン
４３２    係合レバー
【図１】
0005069155.tif 000002
【図２】
0005069155.tif 000003
【図３】
0005069155.tif 000004
【図４】
0005069155.tif 000005
【図５】
0005069155.tif 000006
【図６】
0005069155.tif 000007
【図７ａ】
0005069155.tif 000008
【図７ｂ】
0005069155.tif 000009
【図８】
0005069155.tif 000010
【図９】
0005069155.tif 000011
【図１０ａ】
0005069155.tif 000012
【図１０ｂ】
0005069155.tif 000013